(57)【特許請求の範囲】
【請求項１】
上部面が開口された六面体状のコンテナ本体と、
前記コンテナ本体の収容空間に配置されて前記コンテナ本体と一体に結合され、上部面に複数の投入口を備え、短側面に排出口を備える貯蔵タンクと、
前記コンテナ本体の上部面を補強する上部補強材と、
前記排出口を露出させ、前記排出口が形成された前記貯蔵タンクの短側面を補強するよう前記コンテナ本体と一体に連結される出口補強材と、
を含み、
前記コンテナ本体は、前記貯蔵タンクの排出口と向い合う短側面に開閉可能なドアを備え、前記短側面のほぼ全体が開閉可能であることを特徴とする、粉体移送用コンテナ。
【請求項２】
前記貯蔵タンクの排出口は、短側面の下部中央に形成され、
前記短側面は、前記排出口に向けて収斂する漏斗状を有することを特徴とする、請求項１に記載の粉体移送用コンテナ。
【請求項３】
前記出口補強材の外面を密閉して仕上げる仕上げ板と、をさらに含むことを特徴とする、請求項１に記載の粉体移送用コンテナ。
【請求項４】
前記仕上げ板の外部に配置された梯子を備えることを特徴とする、請求項３に記載の粉体移送用コンテナ。
【請求項５】
前記出口補強材は、前記排出口の周辺にＨ字状に配置されたことを特徴とする、請求項１に記載の粉体移送用コンテナ。
【請求項６】
前記上部補強材は格子状を有することを特徴とする、請求項１に記載の粉体移送用コンテナ。
【請求項７】
前記上部補強材と前記貯蔵タンクの前記投入口とを連結する補助補強材をさらに含むことを特徴とする、請求項６に記載の粉体移送用コンテナ。
【請求項８】
前記上部補強材の上部に踏板を備えることを特徴とする、請求項１に記載の粉体移送用コンテナ。
【請求項９】
前記貯蔵タンクの上部面に溜まる雨水を排出するための排水管をさらに含むことを特徴とする、請求項１に記載の粉体移送用コンテナ。
【発明の詳細な説明】
【技術分野】
【０００１】
本発明は、海上と陸上の運送に使用されるコンテナに関し、より詳細には、粉体貨物の運送に適した粉体移送用コンテナに関する。
【背景技術】
【０００２】
一般に、コンテナは、多量の貨物を車両、船舶などの運送手段で長距離輸送する用途で使用される。
【０００３】
ところが、穀物や、ペレット状の原材料などの粉体貨物は、別途のバックに包装した後、コンテナに積載して運送する場合が多く、陸上運送に特化された粉体貨物車両などを使用して運送する場合もある。
【０００４】
関連先行技術としては、特許文献１（公開日：２０００年６月１５日）の‘コンテナ用ライナーバック構造'がある。
【先行技術文献】
【特許文献】
【０００５】
【特許文献１】大韓民国公開特許特２０００―００３３４８４号
【発明の概要】
【発明が解決しようとする課題】
【０００６】
本発明の目的は、粉体貨物を別途のバック包装せずに積載して荷役できる粉体移送用コンテナを提供することにある。
【０００７】
本発明の他の目的は、粉体貨物の積載時にコンテナの内部に粉体が均一に分布されるように上部面に投入口を複数備えることによって、貨物積載量を最大化させる粉体移送用コンテナを提供することにある。
【０００８】
本発明の更に他の目的は、粉体貨物の荷役時にコンテナの内部に粉体貨物が残留しないようにする粉体移送用コンテナを提供することにある。
【０００９】
本発明の更に他の目的は、粉体貨物を気密性の維持状態で運搬できる粉体移送用コンテナを提供することにある。
【課題を解決するための手段】
【００１０】
本発明は、上部面が開口された六面体状のコンテナ本体と、前記コンテナ本体の収容空間に配置されて前記コンテナ本体と一体に結合され、上部面に複数の投入口を備え、短側面に排出口を備える貯蔵タンクと、前記コンテナ本体の上部面を補強する上部補強材と、前記排出口を露出させ、前記排出口が形成された前記貯蔵タンクの短側面を補強するよう前記コンテナ本体と一体に連結される出口補強材と、を含み、前記コンテナ本体は、前記貯蔵タンクの排出口と向い合う短側面に開閉可能なドアを備え、前記短側面のほぼ全体が開閉可能であることを特徴とする、粉体移送用コンテナを提供する。
【００１２】
前記貯蔵タンクの排出口は前記短側面の下部中央に形成され、前記貯蔵タンクの短側面は、前記排出口に向けて収斂する漏斗状を有することが望ましい。
【００１４】
前記出口補強材の外面を密閉して仕上げる仕上げ板を備えることができ、前記仕上げ板の外部に梯子を備えることができる。
【００１５】
そして、前記出口補強材は、前記排出口の周辺にＨ字状に配置することができる。
【００１６】
一方、前記上部補強材は、格子状を有して前記投入口の周辺に配置することができ、前記上部補強材と前記貯蔵タンクの前記投入口とを連結する補助補強材をさらに含むことができる。
【００１７】
前記上部補強材の上部に踏板を備えることができ、前記貯蔵タンクの上部面に溜まる雨水を排出するための排水管をさらに含むことができ、このとき、前記排水管は、前記コンテナ本体を貫通するように形成することができる。
【発明の効果】
【００１８】
本発明に係る粉体移送用コンテナは、内部空間に貯蔵タンクを形成することによって運送用コンテナの強度と規格を維持しながら、粉体貨物を貯蔵タンクの内部に最大限効率的に積載させるという効果をもたらす。
【００１９】
また、本発明に係る粉体貨物移送用コンテナを用いると、粉体貨物を貯蔵タンクの内部に直接積載し、そのまま荷役することによって、粉体貨物の運送の便宜性を増加させるという効果をもたらす。
【００２０】
また、本発明に係る粉体運送移送用コンテナは、海上の運送に適した規格を満足するので、粉体移送用コンテナのみを有して陸上と海上の運送が全て可能であるという効果をもたらす。
【図面の簡単な説明】
【００２１】
【図１】運送用コンテナの六面を説明するための図である。
【図２】本発明の実施例に係る粉体移送用コンテナの平面を示した図である。
【図３】本発明の実施例に係る粉体移送用コンテナの側面を示した図である。
【図４】本発明の実施例に係る粉体移送用コンテナのコンテナ本体を示した図である。
【図５】本発明の実施例に係る粉体移送用コンテナの貯蔵タンクの側面を示した図である。
【図６】本発明の実施例に係る粉体移送用コンテナの貯蔵タンクの側面を示した図である。
【図７】本発明に係る粉体移送用コンテナの上部補強材を示した平面図である。
【図８】本発明の実施例に係る粉体移送用コンテナの長さ方向断面を示した図である。
【図９】本発明の実施例に係る粉体移送用コンテナの幅方向断面を示した図である。
【発明を実施するための形態】
【００２２】
本明細書及び特許請求の範囲に使用された用語や単語は、通常的又は辞書的な意味に限定して解釈してはならなく、発明者は、自分の発明を最善の方法で説明するために用語の概念を適宜定義できるとの原則に立脚し、本発明の技術的思想に符合する意味と概念で解釈しなければならない。また、本明細書に記載した実施例と図面に示した構成は、本発明の最も望ましい一つの実施例に過ぎなく、本発明の技術的思想を全て代弁するものではないので、本出願時点においてこれらに取って代わる多様な均等物と変形例があり得ることを理解しなければならない。
【００２３】
以下、本発明の実施例に係る粉体移送用コンテナについて図面を参照して詳細に説明する。
【００２４】
図１は、運送用コンテナの六面を説明するための図である。
【００２５】
本発明に係る運送用コンテナは六面体状を有するが、以下では、これらを、底面Ｂ、上部面Ｕ、底面Ｂと上部面Ｕの長側辺に連結される２個の長側面Ｌ、そして、底面と上部面の短側辺にそれぞれ形成される第１の短側面Ｓと第２の短側面Ｄと称して説明する。
【００２６】
第２の短側面Ｄには開閉可能なドアを形成することができ、前記ドアを開放し、貯蔵空間に収容された貨物を荷役するようになる。
【００２７】
図２は、本発明の実施例に係る粉体移送用コンテナの平面を示した図で、図３は、本発明の実施例に係る粉体移送用コンテナの側面を示した図である。
【００２８】
図３は、ドアパネル１２０Ｄのドアを開放した状態を示した図である。
【００２９】
本発明の実施例に係る粉体移送用コンテナ１００は、一般的な海上、陸上運送用コンテナで要求される規格を満足するものであって、外観は略直方体状を有する。
【００３０】
本発明に係る粉体移送用コンテナ１００は、コンテナ本体１２０、貯蔵タンク１６０及び上部補強材１４０を含む。
【００３１】
コンテナ本体１２０は、２個の長側面壁体パネル１２０Ｌ、１個の底面壁体パネル１２０Ｂ及び第１の短側面壁体パネル１２０Ｓが六面体状に互いに連結され、上部面と一短側面が開放されたボックス状を有することができる。このとき、第１の短側面壁体パネル１２０Ｓと向い合う短側面には、ドアが備えられた第２の短側面壁体パネル１２０Ｄがドアパネルとしてさらに備えられ、コンテナ本体１２０の上部面が開放されたボックス状を有することができる。
【００３２】
貯蔵タンク１６０は、前記コンテナ本体１２０の収容空間に配置されて前記コンテナ本体１２０と一体に結合され、上部面に複数の投入口１６２を備え、短側面に排出口１６４を備える。排出口１６４が備えられた貯蔵タンク１６０の短側面は、コンテナ本体１２０の第１の短側面壁体パネル１２０Ｓと向い合う側、すなわち、開口された短側面又は第２の短側面壁体パネル１２０Ｄと隣接するように配置されるので、以下では、説明の便宜のために、貯蔵タンク１６０において排出口１６４が備えられた短側面を‘ドア側面'と称して説明する。
【００３３】
上部補強材１４０は、前記貯蔵タンク１６０の投入口１６２が備えられた上部面を補強する。
【００３４】
粉体移送用コンテナ１００は、前記貯蔵タンク１６０の排出口が備えられたドア側面を補強する出口補強材１５０をさらに含むことができる。
【００３５】
貯蔵タンク１６０は、密閉された粉体貨物収容空間を形成するようになる。貯蔵タンク１６０は、金属薄板を連結して製造することができる。貯蔵タンク１６０の形成時には、耐食性に優れるステンレススチール材質の金属薄板を使用することができる。
【００３６】
投入口１６２は、貯蔵タンク１６０に複数備えられる。投入口１６２を介して粉体貨物が貯蔵タンク１６０の内部に注入されるが、投入口１６２を１個備える場合よりは、図２に示したように、上部面の長辺側に沿って並んで配列された複数の投入口１６２を備え、複数の投入口１６２を介して粉体貨物を投入する場合に粉体貨物の貯蔵効率を向上させることができる。
【００３７】
投入口１６２と排出口１６４のそれぞれには開閉可能なバルブが形成されており、投入口１６２と排出口１６４を全て閉鎖すると、貯蔵タンク１６０の内部空間が密閉され、積載された粉体貨物は、外部空気や湿気と接触させずに密閉状態で運送することができる。
【００３８】
本発明に係る粉体移送用コンテナ１００は、上部面の投入口１６２の両側に踏板１４６を備えることができる。踏板１４６は、上部補強材１４０上に上部補強材１４０の一部を覆うように配置され、投入口１６２を露出させる。
【００３９】
踏板１４６は、上部に他のコンテナが積層されるとき、上部コンテナの下部面の荷重を分散させる役割もする。
【００４０】
また、踏板１４６は、貯蔵タンク１６０とコンテナ本体１２０とが連結される側面を密閉し、貯蔵タンク１６０において上部コーナー部分を追加的に密閉する効果ももたらす。
【００４１】
また、ドア側面には、貯蔵タンク１６０のドア側面を仕上げる仕上げ板１８０を備え、仕上げ板１８０の外部に梯子１８２を付けることができる。仕上げ板１８０は、出口補強材１５０上に配置され、排出口１６４を除いた貯蔵タンク１６０のドア側面を全体的に仕上げることによって、出口補強材１５０は仕上げ板１８０によって全体的に覆われる。
【００４２】
一方、粉体移送用コンテナ１００は、上部補強材１４０と投入口１６２とを連結する補助補強材１４２をさらに含むことができる。補助補強材１４２により、上部補強材１４０を貯蔵タンク１６０と安定的に結合させることができる。
【００４３】
図４は、本発明の実施例に係る粉体移送用コンテナのコンテナ本体を示した図である。
【００４４】
コンテナ本体１２０は、一般的な陸上、海上運送用コンテナを改造して製作することもでき、新規で壁体パネルを用いて製作することもできる。
【００４５】
一般的な運送用コンテナを改造して製造する場合、コンテナの上面を切断して除去することによって、本発明のコンテナ本体１２０を形成することができる。
【００４６】
新規で壁体パネルを用いて製作する場合、底面壁体パネル１２０Ｂに２個の長側面壁体パネル１２０Ｌを連結し、１個の短側面壁体パネル１２０Ｓと１個のドアパネル１２０Ｄとを連結し、図示したような上部面が開放された直方体状のコンテナ本体１２０を形成することができる。
【００４７】
図５は、本発明の実施例に係る粉体移送用コンテナの貯蔵タンクの側面を示した図で、図６は、本発明の実施例に係る粉体移送用コンテナの貯蔵タンクのドア側面を示した図である。
【００４８】
貯蔵タンク１６０は、コンテナ本体１２０と一体で連結されるものであって、略直方体の筒状を有している。
【００４９】
上部面に複数の投入口１６２が形成され、ドア側面に一つの排出口１６４が形成されている。
【００５０】
このとき、排出口１６４が形成されるドア側面１６０Ｄは、排出口１６４に集められる漏斗状に形成される。これにより、粉体移送用コンテナ１００を傾けて内部の粉体貨物を排出するとき、貯蔵タンク１６０の内部に粉体貨物が残留せず、排出口１６４を介して容易に排出され得る。
【００５１】
排出口１６４は、ドア側面１６０Ｄの下端に配置され、下端の中央部に配置される方が粉体貨物の容易な排出のために望ましい。
【００５２】
排出口１６４が備えられたドア側面と投入口１６２が備えられた上部面を除いた貯蔵タンク１６０の残りの面は、それぞれ平らに形成されてコンテナ本体１２０の内面に付着する。
【００５３】
出口補強材１５０は、排出口１６４を介して粉体貨物が排出される場合、貯蔵タンク１６０のドア側面１６０Ｄの強度を補強することができる。すなわち、貯蔵タンク１６０のドア側面１６０Ｄは、排出口１６４に向けて収斂する漏斗状を有しており、粉体貨物の排出時に荷重が集中し、貯蔵タンク１６０のドア側面１６０Ｄは、コンテナ本体１２０と一体に連結される部分ではなく、他の部分に比べて相対的に低い強度を有するので、出口補強材１５０がドア側面に配置されることによってドア側面の強度を補強することができる。
【００５４】
出口補強材１５０は、図示したように、Ｈ字状に排出口１６４を取り囲み、排出口１６４を露出させるように配置することができる。出口補強材１５０の上端部と下端部は、それぞれコンテナ本体１２０と連結することができる。このとき、出口補強材１５０の上／下端部は、それぞれ溶接を通してコンテナ本体１２０と連結することができる。溶接で一体化して連結する方法以外にも、別途のブラケット、ボルト、ナットなどの締結手段を用いて出口補強材１５０をコンテナ本体１２０と連結することもできる。
【００５５】
図７は、本発明に係る粉体移送用コンテナの上部補強材を示した平面図である。
【００５６】
上部補強材１４０は、投入口１６２の周辺に格子状に形成され、投入口１６２部分を補強することができる。すなわち、コンテナ本体１２０は、上部面が切開された状態で形成されるので、貯蔵タンク１６０の上面が外部に露出するが、上部補強材１４０によって貯蔵タンク１６０の上部面の強度を補強することができる。その結果、本発明の粉体移送用コンテナ１００は、上部面が開口され、自体の重量が減少しながらも上部補強材１４０で補強されるので、コンテナ船舶を通して安定的に海上運送することができる。
【００５７】
上部補強材１４０は、管材や形鋼などで構成することができ、角管や円形パイプを連結して構成することもできる。格子状は、‘Ｉ'ビーム、‘Ｈ'ビーム又は‘コ’字状の形鋼を連結して構成することもできる。このとき、上部補強材１４０は貯蔵タンク１６０と連結することができる。例えば、上部補強材１４０は、貯蔵タンク１６０と溶接を通して一体に連結することができる。
【００５８】
一方、図示したように、粉体移送用コンテナ１００は、上部補強材１４０と投入口１６２とを連結する補助補強材１４２をさらに備えることができる。補助補強材１４２により、上部補強材１４０と貯蔵タンク１６０とをより安定的に連結することができ、投入口１６２部分の強度をより確実に補強することができる。
【００５９】
図８は、本発明の実施例に係る粉体移送用コンテナの長さ方向断面を示した図である。
【００６０】
図示したように、コンテナ本体１２０の内部空間に貯蔵タンク１６０が配置され、コンテナ本体１２０のドア側面に排出口が形成される。このとき、コンテナ本体１２０と貯蔵タンク１６０は一体に連結することができる。
【００６１】
貯蔵タンク１６０のドア側面は、排出口１６４に収斂される漏斗状を有しているが、この部分に仕上げ板１８０が備えられる。仕上げ板１８０は、ドア側面に排出口１６４を露出させながら垂直に配置することができる。すなわち、仕上げ板１８０により、ドア側面を平らに仕上げることができる。
【００６２】
仕上げ板１８０は、外装を仕上げ、排出口１６４を出口補強材１５０と共に追加的に補強する役割もする。すなわち、排出口１６４は、貯蔵タンク１６０のドア側面に形成し、出口補強材１５０及び仕上げ板１８０に連結して補強することができる。
【００６３】
また、仕上げ板１８０の外部面には、作業者の移動のための梯子１８２を付けることができる。
【００６４】
図９は、本発明の実施例に係る粉体移送用コンテナの幅方向断面を示した図である。
【００６５】
図示したように、上部補強材１４０の上側に踏板１４６を付着させることができる。
【００６６】
踏板１４６は、上部補強材１４０と共に粉体移送用コンテナ１００の上部面を補強することができる。また、踏板１４６は、作業者の移動通路を提供し、作業者が貯蔵タンク１６０上を直接踏まないようにすることができる。踏板１４６は、貯蔵タンク１６０を構成する材料と実質的に同一の材料で製造することができる。これとは異なり、踏板１４６は、材料価格や重量などを考慮して、貯蔵タンク１６０を構成する材料と異なる材料で製造することができる。
【００６７】
一方、コンテナ本体１２０には排水管１７０をさらに備えることができる。上部補強材１４０が格子状を有しているので、貯蔵タンク１６０の上面に雨水が溜まる場合があり、粉体貨物の荷役時に雨水が粉体に流れ込む場合もあるので、排水管１７０を用いて貯蔵タンク１６０の上面に流れ込む雨水を外部に排出させることができる。
【００６８】
排水管１７０は、貯蔵タンク１６０の上部側面から長側面壁体パネル１２０Ｌを貫通するように形成することができる。このとき、排水管１７０は、コンテナ本体１２０の内壁から外壁に向けて下向きに傾斜するように形成され、円滑な排水を行うことができる。また、排水管１７０に対応して、別途の排水のための部材、例えば、排水パイプをさらに備えることもできる。
【００６９】
本発明に係る粉体移送用コンテナは、上部面と一側面に開放型壁体を形成することによって、全体の重量を減少させ、強度を確保する構造を提供する。
【００７０】
運送用コンテナは全体の重量に制限を有しているので、粉体移送用コンテナ自体の重量が減少すると、積載可能な粉体貨物の重量を増加させることができ、運送費用を節減できるという効果をもたらす。
【００７１】
また、粉体貨物を別途のバックを使用する場合に比べて、バックの処理費用が発生せず、積載や荷役作業に要する時間を短縮することができ、作業過程で発生する粉塵を減少できるという効果をもたらす。
【００７２】
併せて、本発明に係る粉体移送用コンテナは、粉体貨物を密閉状態で運送することができ、長期間の運送過程で生じる粉体貨物の変質を防止するという効果ももたらす。
【００７３】
上述した実施例は、全ての面で例示的なものであって、限定的なものでないことを理解しなければならなく、本発明の範囲は、上述した詳細な説明よりは、後述する特許請求の範囲によって示されるだろう。そして、後述する特許請求の範囲の意味及び範囲は勿論、その等価概念から導出される全ての変更及び変形可能な形態が本発明の範囲に含まれると解釈しなければならない。
【符号の説明】
【００７４】
１００：粉体移送用コンテナ、１２０：コンテナ本体、１２０Ｌ：長側面壁体パネル、１２０Ｓ：短側面壁体パネル、１２０Ｂ：底面壁体パネル、１２０Ｄ：ドアパネル、１４０：上部補強材、１４２：補助補強材、１４６：踏板、１５０：出口補強材、１６０：貯蔵タンク、１６２：投入口、１６４：排出口、１７０：排水管、１８０：仕上げ板、１８２：梯子
【図１】
0005953286.tif 000002
【図２】
0005953286.tif 000003
【図３】
0005953286.tif 000004
【図４】
0005953286.tif 000005
【図５】
0005953286.tif 000006
【図６】
0005953286.tif 000007
【図７】
0005953286.tif 000008
【図８】
0005953286.tif 000009
【図９】
0005953286.tif 000010